(57)【特許請求の範囲】
【請求項１】
地中に一部が埋まっている躯体の下部の両側面にある土石を掘削する第１の掘削工程と、
前記第１の掘削工程で土石を掘削して露出した前記躯体の両側面に、鋼板を帯状に貼り付ける第１の貼付工程と、
前記躯体を、その側面と垂直に区切った場合にできる複数の躯体ブロックのいずれか１つの躯体ブロックの下側にある土石を掘削する第２の掘削工程と、
前記躯体ブロックの底面と、第１及び第２の掘削工程で土石を掘削することによりできた、前記躯体ブロックの周囲の空洞部の底面及び壁面とに、鋼板を貼り付ける第２の貼付工程と、
前記躯体ブロックの両側面と、前記空洞部の壁面との間に、前記躯体ブロックの側面と垂直で、且つ、前記躯体ブロックの底面と同じ高さに、夫々蓋板を配設する配設工程と、
前記空洞部の底面及び壁面と、前記蓋板と、前記躯体ブロックの底面とに囲まれた空間にゴム液を注入する注入工程とを備えていることを特徴とする制震装置の設置方法。
【請求項２】
地中に一部が埋まっている躯体の下部の両側面にある土石を掘削する第１の掘削工程と、
前記第１の掘削工程で土石を掘削して露出した前記躯体の両側面に、鋼板を帯状に貼り付ける第１の貼付工程と、
前記躯体を、その側面と垂直に区切った場合にできる複数の躯体ブロックのいずれか１つの躯体ブロックの下側にある土石を掘削する第２の掘削工程と、
前記躯体ブロックの底面と、第１及び第２の掘削工程で土石を掘削することによりできた、前記躯体ブロックの周囲の空洞部の底面及び壁面とに、鋼板を貼り付ける第２の貼付工程と、
前記躯体ブロックの底面と、前記空洞部の底面との間に、前記躯体ブロックの底面と垂直で、且つ、前記躯体ブロックの側面の延長上に、夫々蓋板を配設する配設工程と、
前記空洞部の底面と、前記蓋板と、前記躯体ブロックの底面とに囲まれた空間にゴム液を注入する注入工程とを備えていることを特徴とする制震装置の設置方法。
【請求項３】
地中に一部が埋まっている躯体の下部の両側面にある土石を掘削する第１の掘削工程と、
前記第１の掘削工程で土石を掘削して露出した前記躯体の両側面に、鋼板を帯状に貼り付ける第１の貼付工程と、
前記躯体を、その側面と垂直に区切った場合にできる複数の躯体ブロックのいずれか１つの躯体ブロックの下側まで、前記躯体ブロックの周囲の土石を掘削する第２の掘削工程と、
前記躯体ブロックの底面と、第１及び第２の掘削工程で土石を掘削することによりできた、前記躯体ブロックの周囲の空洞部の底面及び壁面とに、鋼板を貼り付ける第２の貼付工程と、
前記躯体ブロックの両側面と、前記空洞部の壁面との間に、前記躯体ブロックの側面と垂直に、夫々バネ板を配設する配設工程と、
前記空洞部の底面及び壁面と、前記バネ板と、前記躯体ブロックとに囲まれた空間にゴム液を注入する注入工程とを備えていることを特徴とする制震装置の設置方法。
【請求項４】
全ての前記躯体ブロックに対して、前記第２の掘削工程、前記第２の貼付工程、前記配設工程、及び、前記注入工程を行うことを特徴とする請求項１〜３のいずれか１項に記載の制震装置の設置方法。
【請求項５】
躯体の両側面に鋼板を帯状に貼付する貼付工程と、
前記躯体を、前記貼付工程で鋼板を貼付した上部と下部とに分割するために、前記躯体の一部を削除するための削除工程と、
前記削除工程において、削除された空間を囲う部材を配設する配設工程と、
前記空間にゴム液を注入する注入工程とを備えていることを特徴とする制震装置の設置方法。
【請求項６】
躯体の両側面に鋼板を帯状に貼付する貼付工程と、
前記躯体を、前記貼付工程で鋼板を貼付した上部と下部とに分割するために、前記躯体の一部を削除するための削除工程と、
前記削除工程において、削除された空間にゴム袋を配設する配設工程と、
前記ゴム袋内にゴム液を注入する注入工程とを備えていることを特徴とする制震装置の設置方法。
【請求項７】
前記躯体の上部と下部との側面に沿って、支えを設置する設置工程をさらに備えていることを特徴とする請求項５又は６に記載の制震装置の設置方法。
【発明の詳細な説明】
【０００１】
【発明の属する技術分野】
本発明は、地震の振動を上下動と水平動とに分けて低減するゴム制震装置の設置方法に関する。
【０００２】
【従来の技術】
地震の振動により建造物が激しく揺れることを防止する制震用装置の振動吸収部分にゴムが使用されている。この制震用装置は、水平動と上下動とが一緒に考えられており、建造物を支える躯体の下側に設置される装置が一般的となっている。
【０００３】
【発明が解決しようとする課題】
しかしながら、施工後の建造物に制震装置を設置するには、建造物が沈下しないように持ち上げる必要があり、建造物の施工後に制震装置を設置することは困難である。
【０００４】
そこで、本発明の目的は、既成の建造物に制震装置を設置することが可能な制震装置の設置方法を提供することである。
【０００５】
【課題を解決するための手段】
本発明の制震装置の設置方法は、地中に一部が埋まっている躯体の下部の両側面にある土石を掘削する第１の掘削工程と、前記第１の掘削工程で土石を掘削して露出した前記躯体の両側面に、鋼板を帯状に貼り付ける第１の貼付工程と、前記躯体を、その側面と垂直に区切った場合にできる複数の躯体ブロックのいずれか１つの躯体ブロックの下側にある土石を掘削する第２の掘削工程と、前記躯体ブロックの底面と、第１及び第２の掘削工程で土石を掘削することによりできた、前記躯体ブロックの周囲の空洞部の底面及び壁面とに、鋼板を貼り付ける第２の貼付工程と、前記躯体ブロックの両側面と、前記空洞部の壁面との間に、前記躯体ブロックの側面と垂直で、且つ、前記躯体ブロックの底面と同じ高さに、夫々蓋板を配設する配設工程と、前記空洞部の底面及び壁面と、前記蓋板と、前記躯体ブロックの底面とに囲まれた空間にゴム液を注入する注入工程とを備えている（請求項１）。
【０００６】
別の観点において、本発明の制震装置の設置方法は、地中に一部が埋まっている躯体の下部の両側面にある土石を掘削する第１の掘削工程と、前記第１の掘削工程で土石を掘削して露出した前記躯体の両側面に、鋼板を帯状に貼り付ける第１の貼付工程と、前記躯体を、その側面と垂直に区切った場合にできる複数の躯体ブロックのいずれか１つの躯体ブロックの下側にある土石を掘削する第２の掘削工程と、前記躯体ブロックの底面と、第１及び第２の掘削工程で土石を掘削することによりできた空洞部の底面及び壁面とに、鋼板を貼り付ける第２の貼付工程と、前記躯体ブロックの底面と、前記空洞部の底面との間に、前記躯体ブロックの底面と垂直で、且つ、前記躯体ブロックの側面の延長上に、夫々蓋板を配設する配設工程と、前記空洞部の底面と、前記蓋板と、前記躯体ブロックの底面とに囲まれた空間にゴム液を注入する注入工程とを備えている（請求項２）。
【０００７】
さらに、別の観点において、本発明の制震装置の設置方法は、地中に一部が埋まっている躯体の下部の両側面にある土石を掘削する第１の掘削工程と、前記第１の掘削工程で土石を掘削して露出した前記躯体の両側面に、鋼板を帯状に貼り付ける第１の貼付工程と、前記躯体を、その側面と垂直に区切った場合にできる複数の躯体ブロックのいずれか１つの躯体ブロックの下側にある土石を掘削する第２の掘削工程と、前記躯体ブロックの底面と、第１及び第２の掘削工程で土石を掘削することによりできた空洞部の底面及び壁面とに、鋼板を貼り付ける第２の貼付工程と、前記躯体ブロックの両側面と、前記空洞部の壁面との間に、前記躯体ブロックの側面と垂直に、夫々バネ板を配設する配設工程と、前記空洞部の底面及び壁面と、前記バネ板と、前記躯体ブロックとに囲まれた空間にゴム液を注入する注入工程とを備えている(請求項３)。
【０００８】
これらの構成によると、建造物の施工後も、建造物を持ち上げる必要がなく、又、建造物を崩壊させることなく簡単に制震装置を設置することができる。
【０００９】
本発明の制震装置の設置方法は、全ての前記躯体ブロックに対して、前記第２の掘削工程、前記第２の貼付工程、前記配設工程、及び、前記注入工程を行ってもよい（請求項４）。これによると、躯体が沈下することなく、躯体全体に制震装置を設置することができる。
【００１０】
別の観点において、本発明の制震装置の設置方法は、躯体の両側面に鋼板を帯状に貼付する貼付工程と、前記躯体を、前記貼付工程で鋼板を貼付した上部と下部とに分割するために、前記躯体の一部を削除するための削除工程と、前記削除工程において、削除された空間を囲う部材を配設する配設工程と、前記空間にゴム液を注入する注入工程とを備えている（請求項５）。
【００１１】
さらに、別の観点において、本発明の制震装置の設置方法は、躯体の両側面に鋼板を帯状に貼付する貼付工程と、前記躯体を、前記貼付工程で鋼板を貼付した上部と下部とに分割するために、前記躯体の一部を削除するための削除工程と、前記削除工程において、削除された空間にゴム袋を配設する配設工程と、前記ゴム袋内にゴム液を注入する注入工程とを備えている（請求項６）。
【００１２】
この構成によると、躯体と躯体との間に制震装置を設置することができるため、建造物の制震性能を向上させることができる。
【００１３】
本発明の制震装置の設置方法は、前記躯体の上部と下部との側面に沿って、支えを設置する設置工程をさらに備えていてもよい（請求項７）。これによると、躯体と支えとの間に、水平方向に対する揺れを抑えるための部材を設置することができる。
【００１４】
【発明の実施の形態】
以下、本発明に係る好適な実施の形態について、図面を参照しつつ説明する。
【００１５】
図１Ａは、本発明の第１の実施の形態に係る制震装置の設置方法により、制震装置を設置した躯体と地面との断面図である。ここで躯体とは、建造物を支える骨組みである。図１Ａに示すように、躯体の一部が地中に埋まっている。まず、躯体の側面にある土石を掘削する。このとき、躯体が沈下して建造物が崩落しないように、躯体の下側にある土石は掘削しない。露出した躯体の両側面沿いに帯状の補強鋼板１を、エポキシ等の接着剤２及びボルト３により夫々貼付ける。鋼板の貼付後、躯体を側面と垂直に区切って複数の躯体ブロックを生成したと想定し、その躯体ブロックのいずれか１つの下側にある土石を掘削する。このとき、建造物の荷重が大きくかかる躯体の両端に位置する躯体ブロック以外の躯体ブロックを選択する。また、選択した躯体ブロックの下側にある土石を掘削しても、補強鋼板１により選択した躯体ブロックが隣接する躯体ブロックと繋がっているため、躯体は沈下しない。土石を掘削してできた空洞の周縁を、鉄筋コンクリートで固め、さらに、支え鋼板６を固めた鉄筋コンクリートに沿って貼付ける。ここで空洞の周縁とは、選択した躯体ブロックの両側面と底面とに対向する空洞の壁面及び底面を言う。また、選択した躯体ブロックの底面にも、支え鋼板６を貼付ける。
【００１６】
空洞の支え鋼板６を貼付していない壁面部に、底部板バネ１３（図３Ａ参照）を内側に反るように配置する。また、躯体ブロックの両側面と空洞の壁面との間に、仮止め板９を夫々配設する。このとき、仮止め板９は、躯体ブロックの側面と垂直であり、且つ、躯体ブロックの底面と同じ高さに配設する。後述するゴム液１０を注入するためのゴム液圧入管７を、一方の仮止め板９の図示しない穴に接続する。また、内部の空気を排出するためのエア抜き４を、もう一方の仮止め板の図示しない穴に接続する。空洞の底面及び壁面と、仮止め板９と、躯体ブロックの底面とに囲まれた空間に、ゴム液圧入管７からゴム液１０を注入する。ゴム液１０が注入されると、エア抜き４から空間の内部の空気が排出される。注入されたゴム液１０は、躯体ブロックの荷重に耐えることができるように、圧力を加えて硬化させる。これにより、躯体ブロックは沈下することなくゴム液１０により支えられる。空洞の壁面と、躯体ブロックの両側面との間に、ゴム板５を隙間なく配置する。ゴム板５は、平板状であり、躯体の側面と平行に配置される。
【００１７】
選択した一つの躯体ブロックに対する処理を終えると、残りの躯体ブロックに対しても、同様にゴム液１０及びゴム板５等を配設する処理を繰り返す。このとき、建造物の荷重が大きい躯体の両端の躯体ブロックは、他の躯体ブロックが処理を終えた後に処理を行う。これにより、躯体全体に対して制震装置を設置することができる。
【００１８】
図３Ａは、制震装置を設置した躯体の側面方向から見た断面図である。各躯体ブロックの底面のゴム液１０の境には、底部板バネ１３により区切られている。このため、ゴム液１０の水平方向の揺れを抑えることができる。また、図３Ｂに示すように、底部板バネ１３の代わりに、仮止め板又はゴム板１４により隣接するゴム液１０を区切るようにしても良い。
【００１９】
また、躯体と地面との断面図である図４Ａに示すように、補強鋼板１により躯体が沈下するのを防ぐ代わりに、支え鋼板１５を躯体に沿うように地面に設置し、支え鋼板１５と躯体とを接着させて、躯体が沈下しないようにしてもよい。
【００２０】
以上、説明したように、本実施の形態において、建造物の施工後も、建造物を持ち上げる必要がなく、又、建造物を崩落させることなく簡単に制震装置を設置することができる。
【００２１】
次に、本発明の第２の実施の形態に係る制震装置の設置方法について、図面を参照しつつ説明する。本実施の形態は、仮止め板９を配置する位置が第１の実施の形態と相違する。以下、その相違点を中心に説明する。なお、以下の説明において、第１の実施の形態と同様の部材には同じ符号を付してその説明を省略する。
【００２２】
図１Ｂは、本実施の形態に係る制震装置の設置方法により、制震装置を設置した躯体と地面との断面図である。躯体の周囲の土石を掘削する過程は第１の実施の形態と同様であるため、説明は省略する。仮止め板９を、選択した躯体ブロックの底部と、空洞の底面との間に配設する。このとき、仮止め板９は、躯体ブロックの底面と垂直で、且つ、躯体ブロックの両側面の延長上に夫々配設される。ゴム液１０を注入するためのゴム液圧入管７を、一方の仮止め板９の図示しない穴に接続する。また、内部の空気を排出するためのエア抜き４を、もう一方の仮止め板の図示しない穴に接続する。ゴム液圧入管７と、エア抜き４とは、注入及び排出しやすいようにＬ字型を形成しており、注入口及び排出口が地中から突出している。また、選択した躯体ブロックの両側面及び仮止め板９と、空洞の壁面との間に、ゴム板５を隙間なく配置する。ゴム板５は、平板状であり、躯体の側面と平行に配置される。空洞の底面と、仮止め板９と、躯体ブロックの底面とに囲まれた空間に、ゴム液圧入管７からゴム液を注入する。ゴム液１０が注入されると、エア抜き４から空間の内部の空気が排出される。注入されたゴム液１０は、躯体の荷重に耐えることができるように、圧力を加えて硬化させる。これにより、躯体は沈下することなくゴム液１０により支えられている。これにより、躯体の水平方向の揺れを吸収することができる。
【００２３】
以上、説明したように、本実施の形態において、第１の実施の形態と同様の効果を得ることができる。
【００２４】
次に、本発明の第３の実施の形態に係る制震装置の設置方法について、図面を参照しつつ説明する。本実施の形態は、仮止め板９の代わりに板バネ１１を用いるという点で、第１の実施の形態と相違している。以下、その相違点を中心に説明する。なお、以下の説明において、第１の実施の形態と同様の部材には同じ符号を付してその説明を省略する。
【００２５】
図２Ａは、本実施の形態に係る制震装置の設置方法により、制震装置を設置した躯体と地面との断面図である。躯体の周囲の土石を掘削する過程は第１の実施の形態と同様であるため、説明は省略する。図２Ａに示すように、空洞の壁面と躯体ブロックの両側面との間に、板バネ１１を下側に反らせて夫々配設する。このとき、板バネは、躯体の側面と垂直で、かつ、グランドレベル（地表と同じ位置）に配設される。ゴム液１０を注入するためのゴム液圧入管７を、一方の仮止め板９の図示しない穴に接続する。また、内部の空気を排出するためのエア抜きを、もう一方の仮止め板の図示しない穴に接続する。ゴム液圧入管７から、空洞全体にゴム液１０を注入する。ゴム液１０が注入されると、エア抜き４から空間の内部の空気が排出される。注入されたゴム液１０は、躯体の荷重に耐えることができるように、圧力を加えて硬化させる。これにより、躯体は沈下することなくゴム液１０により支えられている。
【００２６】
また、図２Ｂに示すように、板バネ１１をグランドレベルと躯体ブロックの底面との間の任意の高さに配設して、板バネ１１の上部に平板状のゴム板５を、躯体ブロックの側面と平行に設置するようにしてもよい。
【００２７】
以上、説明したように、本実施の形態において、第１の実施の形態と同様の効果を得ることができる。
【００２８】
次に、本発明の第４の実施の形態に係る制震装置の設置方法について、図面を参照しつつ説明する。本実施の形態は、躯体と躯体との間に制震装置を設置する方法である。なお、以下の説明において、第１の実施の形態と同様の部材には同じ符号を付してその説明を省略する。
【００２９】
図５Ａは、本実施の形態に係る制震装置の設置方法により、制震装置を設置した躯体の断面図である。図５Ａに示すように、制震装置を設置したい場所の直ぐ上の躯体の両側面に帯状の補強鋼板１を、エポキシ等の接着剤２及びボルト３により貼付ける。鋼板の貼付後、制震装置を設置したい位置で躯体の一部を切り落とし、躯体を補強鋼板１が貼付けられた上部と下部とに分割する。このとき、躯体の一部を切り落とし、躯体が落下しないように、躯体を側面と垂直に区切って複数の躯体ブロックを生成したと想定し、いずれか１つの躯体ブロックの制震装置を設置したい位置で、躯体ブロックの一部を切り落とす。これにより、躯体ブロックの一部が切り落とされても、切り落とされた部分の上部が、補強鋼板１により隣接する躯体ブロックと貼付けられているため、躯体ブロックの上部は落下せず、躯体全体が崩落することがない。躯体ブロック上部と下部とを挟み込みむように、Ｈ型の支え鋼板６を切り落とした躯体ブロックの部分に配置する。ここでＨ型の支え鋼板６は、空洞となっており、支え鋼板６の躯体の側面に平行な側面と、躯体の上部の側面との間は大気と連通している。躯体の両側面と、支え鋼板６の側面との間に板バネ１１を内側に反らせて夫々配設する。このとき、板バネ１１は、躯体の側面と垂直に配設する。ゴム液１０を注入するためのゴム液圧入管７を、一方の板バネ１１の図示しない穴に接続する。また、内部の空気を排出するためのエア抜き４を、もう一方の板バネ１１の図示しない穴に接続する。空洞の底面及び壁面と、板バネ１１と、躯体の底面とに囲まれた空間に、ゴム液圧入管７からゴム液を注入する。ゴム液１０が注入されると、エア抜き４から空間の内部の空気が排出される。このとき、ゴム液１０は、躯体ブロックの上部の荷重に耐えることができるように、圧力を加えて硬化させる。これにより、躯体ブロックの上部は沈下することなくゴム液１０により支えられている。
【００３０】
１つの躯体ブロックに対して制震装置を設置し終えた後、残りの躯体ブロックに対しても、同様の処理を行う。これにより、躯体全体に制震装置を設置することができる。
【００３１】
また、図５Ｂに示すように、板バネ１１の代わりに、躯体の上部と下部との両側面と、Ｈ型の支え鋼板６の側面との間に、平板状のゴム板５を夫々配設するようにしてもよい。この場合、平板状のゴム板５は、ゴム液圧入管７及びエア抜き４を接続するための穴を備えており、これにより、ゴム液１０を注入することができる。さらに、図５Ｃに示すように、切り落とした部分にゴム袋８を予め設置しておき、Ｈ型の支え鋼板６の側面との間に、平板状のゴム板５を夫々配設し、ゴム袋８内にゴム液を注入して硬化するようにしてもよい。
【００３２】
以上、説明したように、本実施の形態において、躯体と躯体との間に制震装置を設置することができるため、建造物の制震性能をさらに向上させることができる。
【００３３】
次に、本発明の第５の実施の形態に係る制震装置の設置方法について、図面を参照しつつ説明する。本実施の形態は、柱１７（躯体）の側面に沿って支えを配置するという点で第４の実施の形態と相違する。なお、以下の説明において、第１の実施の形態と同様の部材には同じ符号を付してその説明を省略する。
【００３４】
図６Ａは、本実施の形態に係る制震装置の設置方法により、制震装置を設置した柱１７の断面図である。図６Ａに示すように、柱１７の一端部に土台１６が取り付けられており、土台１６と基礎の鉄筋コンクリートとがボルト１９で連結されている。ボルト１９を緩めて、土台１６と鉄筋コンクリートとの間に隙間ができるようにする。この隙間を囲うように、土台１６と鉄筋コンクリートとに跨るように、板１８を貼付ける。ゴム液圧入管７と、エア抜きとを板１８の図示しない穴に接続する。板１８で囲まれている土台１６と鉄筋コンクリートとの間の空間に、ゴム液圧入管７からゴム液を注入する。ゴム液１０が注入されると、エア抜き４から空間の内部の空気が排出される。このとき、ゴム液１０は、柱１７及び土台１６の荷重に耐えることができるように、圧力を加えて硬化させる。これにより、柱１７及び土台１６は沈下することなくゴム液１０により支えられている。
【００３５】
土台１６と鉄筋コンクリートとの側面に沿って、水平な揺れにより、土台１６及び柱１７と、鉄筋コンクリートとがズレ落ちないように防ぐための支え２１を配設する。このとき、土台１６、柱１７及び鉄筋コンクリートの側面にゴム液２０を薄くのばし、支え２１と同じ高さにし、支え２１とともにゴム液２２を固定する。これにより、ゴム液２０が水平の揺れを吸収して、揺れを抑えることができる。
【００３６】
また、図６Ｂに示すように、土台１６と鉄筋コンクリートとの間にゴム袋８をセットして、ゴム袋８内にゴム液１０を注入し、硬化させてもよい。この場合、土台１６、柱１７及び鉄筋コンクリートの側面にゴム板２２を当て、支え２１とともにゴム板２２を固定する。
【００３７】
以上、説明したように、本実施の形態において、第４の実施の形態の効果に加えて、柱１７（躯体）の水平方向に対する揺れをさらに抑えることができる。
【００３８】
以上、本発明の好適な実施の形態について説明したが、本発明は上述の実施の形態に限られるものではなく、特許請求の範囲に記載した限りにおいて様々な設計変更が可能なものである。例えば、本発明の実施の形態では、躯体の小部分ずつ掘削して制震装置を設置しているが、離間している柱を補強鋼板などにより落下しないようにし、各柱に制震装置を設置するようにしてもよい。
【００３９】
【発明の効果】
以上説明したように、本発明の制震装置の設置方法によると、既成の建造物に制震装置を設置することができる。
【図面の簡単な説明】
【図１】  図１Ａは、本発明の第１の実施の形態に係る制震装置の設置方法により、装置を設置した躯体と地面との断面図である。図１Ｂは、本発明の第２の実施の形態に係る制震装置の設置方法により、装置を設置した躯体と地面との断面図である。
【図２】  本発明の第３の実施の形態に係る制震装置の設置方法により、装置を設置した躯体と地面との断面図である。
【図３】  図１〜２の躯体の側面方向から見た断面図である。
【図４】  図１〜３にある補強鋼板の変わりに支え鋼板を用いた方法により、装置を設置した躯体と地面との断面図である。
【図５】    本発明の第４の実施の形態に係る制震装置の設置方法により、装置を設置した躯体の断面図である。
【図６】    本発明の第５の実施の形態に係る制震装置の設置方法により、装置を設置した躯体の断面図である。
【符号の説明】
１  補強鋼板
２  接着剤
３  ボルト
４  エア抜き
５  ゴム
６  支え鋼板
７  ゴム液圧入管
８  注入用ゴム袋
９  仮止め板
１０  圧入ゴム液
１１  板バネ
１２  溶接
１３  底部板バネ
１４  仮止め板又はゴム板
１５  支え鋼板
１６  土台
１７  柱
１８  板
１９  基礎ボルト
２０  ゴム液
２１  支え
２２  ゴム板
【図１Ａ】
0003641638.tif 000002
【図１Ｂ】
0003641638.tif 000003
【図２Ａ】
0003641638.tif 000004
【図２Ｂ】
0003641638.tif 000005
【図３Ａ】
0003641638.tif 000006
【図３Ｂ】
0003641638.tif 000007
【図４Ａ】
0003641638.tif 000008
【図４Ｂ】
0003641638.tif 000009
【図４Ｃ】
0003641638.tif 000010
【図５Ａ】
0003641638.tif 000011
【図５Ｂ】
0003641638.tif 000012
【図５Ｃ】
0003641638.tif 000013
【図６Ａ】
0003641638.tif 000014
【図６Ｂ】
0003641638.tif 000015